(57)【要約】【課題】部品点数を増加させることなく、収納空間に収納される製品が側方の４方向からの衝撃に対して、破損するのを抑制することが可能な梱包部材を提供する。【解決手段】この梱包部材では、仕切り１（第１仕切り）は、仕切り２（第２仕切り）の仕切り面に対して交差する方向（図１のＡ方向）に所定の長さ分、突出するように形成されたの側端部１ｂを有するとともに、仕切り２（第２仕切り）は、仕切り１（第１仕切り）の仕切り面に対して交差する方向（図１のＢ方向）に所定の長さ分、突出するように形成された側端部２ｂを有する。また、仕切り１（第１仕切り）には、スリット１ａ（第１スリット）が形成される側の端部に、仕切り２（第２仕切り）の仕切り面に沿って外側方に折り曲げられた補強片１ｃが一体的に設けられる。また、仕切り１（第１仕切り）の補強片１ｃは、天板４により押さえ込まれることにより、折り曲げられた状態で保持される。【選択図】図１
2006062664.tif 000002
【特許請求の範囲】
【請求項１】
複数の第１スリットを有する段ボール製の一対の第１仕切りと、前記一対の第１仕切りの前記第１スリットに嵌め込まれる一対の第２スリットを有する段ボール製の複数の第２仕切りと、前記第１仕切りおよび前記第２仕切りの上部に配置される天板とを備えた梱包部材において、
前記一対の第１仕切りと、前記複数の第２仕切りとによって囲まれた複数の収納空間が形成され、
前記第１仕切りは、前記第２仕切りの仕切り面に対して交差する方向に所定の長さ分、突出するように形成された側端部を有し、
前記第２仕切りは、前記第１仕切りの仕切り面に対して交差する方向に所定の長さ分、突出するように形成された側端部を有し、
前記第１仕切りには、前記収納空間毎に、前記第１スリットが形成される側の端部に、前記第２仕切りの仕切り面に沿って外側方に折り曲げられた補強片が一体的に設けられ、
前記第１仕切りの補強片は、前記天板により押さえ込まれることにより、折り曲げられた状態で保持され、
前記第２仕切りの側端部の突出した長さと、前記第２仕切りの仕切り面に沿う方向に延びた前記補強片の長さとが実質的に等しいとともに、前記第１仕切りに設けられるとともに折り曲げられた前記補強片の上面の高さと、前記補強片の近傍に位置する前記第２仕切りの上端部の高さとが実質的に等しい、梱包部材。
【請求項２】
複数の第１スリットを有する段ボール製の一対の第１仕切りと、
前記一対の第１仕切りの前記第１スリットに嵌め込まれる一対の第２スリットを有する段ボール製の複数の第２仕切りとを備え、
前記第１仕切りの側端部は、前記第２仕切りの仕切り面に対して交差する方向に所定の長さ分、突出するように形成され、
前記第１仕切りには、前記第１スリットが形成される側の端部に、前記第２仕切りの仕切り面に沿って外側方に折り曲げられた補強片が一体的に設けられている、梱包部材。
【請求項３】
前記第１仕切りおよび前記第２仕切りの上部に配置される天板をさらに備え、
前記第１仕切りの補強片は、前記天板により押さえ込まれることにより、折り曲げられた状態で保持される、請求項２に記載の梱包部材。
【請求項４】
前記第１仕切りに設けられるとともに折り曲げられた前記補強片の上面の高さと、前記補強片の近傍に位置する前記第２仕切りの上端部の高さとが実質的に等しい、請求項３に記載の梱包部材。
【請求項５】
前記第２仕切りは、前記第１仕切りの仕切り面に対して交差する方向に所定の長さ分、突出するように形成された側端部を有し、
前記第２仕切りの側端部の突出した長さと、前記第２仕切りの仕切り面に沿う方向に延びた前記補強片の長さとが実質的に等しい、請求項２〜４に記載の梱包部材。
【請求項６】
前記一対の第１仕切りと前記複数の第２仕切りとによって囲まれた複数の収納空間が形成され、
前記補強片は、前記収納空間毎に、前記第１仕切りの前記第１スリットが形成される側の端部に設けられている、請求項２〜５のいずれか１項に記載の梱包部材。
【発明の詳細な説明】
【技術分野】
【０００１】
この発明は、梱包部材に関し、特に、製品を収納するための収納空間を備える梱包部材に関する。
【背景技術】
【０００２】
従来、製品を梱包するための梱包部材の仕切りの構造が種々提案されている（例えば、特許文献１〜３参照）。
【０００３】
上記特許文献１には、折り曲げることによって形成された筒状の段ボールの仕切り部材において、所定の個所にカギ状の切り込みを入れることにより、水平方向の２側面に翼状部を設けることによって、倒れることなく自立させることが可能な段ボール仕切り部材が開示されている。
【０００４】
また、上記特許文献２には、切欠孔（スリット）を有する一対の保持板Ａ（仕切り）と、切欠孔（スリット）を有する一対の保持板Ｂ（仕切り）とを嵌め合わせることによって組み立てられた中仕切板において、保持板Ａおよび保持板Ｂに設けられた水平切欠孔に、その水平切欠孔に嵌め込むことが可能な切欠孔を有する４つの補強板を中仕切板の４側方に取り付けることによって、４側方からの外部衝撃による収納部品の破損を抑制することが可能な梱包用部品が開示されている。
【０００５】
また、上記特許文献３には、１枚のシートに波形状の切り込みを入れるとともに、その切り込みの端部を両端とする折り目に沿って、折り曲げることによって設けられた波形状の支持板（仕切り）の位置を、同じシートを折り曲げることによって形成された係止板の係止部により規制することが可能な仕切が開示されている。
【０００６】
また、従来、製品を収納するための収納空間を備える梱包部材が知られている。図１１は、従来の一例による段ボール製の梱包部材の全体構成を示した分解斜視図である。図１２は、従来の一例による段ボール製の梱包部材の平面図である。図１３および図１４は、図１１に示した従来の一例による段ボール製の梱包部材の仕切りを示した正面図である。図１５は、図１１に示した段ボール製の梱包部材の詳細構造を説明するための図である。図１１〜図１６を参照して、従来の段ボール製の梱包部材の構造について説明する。
【０００７】
従来の一例による段ボール製の梱包部材は、図１１に示すように、一対の仕切り１０１と、一対の仕切り１０１と組み合わされる７つの仕切り１０２と、底板１０３と、天板１０４と、梱包箱１０５とを備えている。また、図１１および図１３に示すように、仕切り１０１には、７つのスリット１０１ａと、仕切り１０２の仕切り面に対して交差する方向（図１１および図１３のＣ方向）に所定の長さ分、突出した側端部１０１ｂとが設けられている。また、図１４に示すように、仕切り１０２には、仕切り１０１のスリット１０１ａ（図１３参照）に嵌め込まれる２つのスリット１０２ａが設けられている。また、仕切り１０２には、図１１および図１４に示すように、仕切り１０１の外側面から所定の長さ分、外側方（図１１および図１４のＤ方向）に突出する側端部１０２ｂが設けられている。
【０００８】
また、図１５に示すように、底板１０３は、上記した梱包箱１０５の内部の底部に配置される。また、天板１０４の下面は、仕切り１０１の上端および仕切り１０２の上端により支持される。
【０００９】
また、段ボール製の梱包箱１０５には、図１１に示すように、一対の天面フラップ部１０５ａと、一対の天面フラップ部１０５ｂとが、それぞれ、互いに対向するように設けられている。梱包箱１０５の天面フラップ部１０５ｂは、図１５に示すように、梱包箱１０５の天面フラップ部１０５ａの上部に重なるように配置される。また、仕切り１０１の側端部１０１ｂと梱包箱１０５の内側面との間に、梱包箱１０５の外部側からの衝撃を吸収することが可能な隙間が設けられている。また、仕切り１０２の側端部１０２ｂと梱包箱１０５の内側面との間に、梱包箱１０５の外部側からの衝撃を吸収することが可能な隙間が設けられている。
【００１０】
また、図１１および図１２に示すように、一対の仕切り１０１と７つの仕切り１０２とによって、６つの収納空間１０６が構成されている。この収納空間１０６には、図１５に示すように、製品１０７が収納される。この製品１０７には、上部側に突出した突起部１０７ａと、両側部側に突出した突起部１０７ｂとが設けられている。
【００１１】
次に、図１１〜図１５を参照して、従来の段ボール製の梱包部材の組立方法および製品の梱包方法について説明する。まず、一対の仕切り１０１（図１３参照）を対向するように配置するとともに、その一対の仕切り１０１のスリット１０１ａに、７つの仕切り１０２（図１４参照）のスリット１０２ａを嵌め込む。これにより、図１１および図１２に示すように、仕切り１０１と仕切り１０２とにより６つの収納空間１０６を有する仕切り部材が形成される。次に、底板１０３と、仕切り１０１および仕切り１０２からなる仕切り部材とを、梱包箱１０５の上方側から順次梱包箱１０５に嵌め込む。さらに、６つの収納空間１０６に製品１０７を収納した後、梱包箱１０５の上方側から天板１０４を梱包箱１０５に嵌め込む。そして、梱包箱１０５の天面フラップ部１０５ａを内側に折り曲げた後、天面フラップ部１０５ｂを内側に折り曲げる。これにより、図１５に示すように、製品１０７の梱包が完了する。
【特許文献１】特開平２００２−１７３１３４号公報
【特許文献２】特開平２００３−３４１７４４号公報
【特許文献３】実開昭６３−１１３１６号公報
【発明の開示】
【発明が解決しようとする課題】
【００１２】
図１１〜図１５に示した従来の梱包部材では、仕切り１０２の仕切り面に沿う方向（図１１のＤ方向）からの衝撃に起因して、仕切り１０１と仕切り１０２とにより形成された収納空間１０６に収納される製品１０７が、図１６に示すように、水平方向（図１６のＤ方向）に移動した場合、仕切り１０１のスリット１０１ａが形成される側の端部が外側に折れ曲がり、収納空間１０６に収納される製品１０７が、仕切り１０２の仕切り面に沿う方向（図１６のＤ方向）に移動する。そのため、仕切り１０２の仕切り面に沿う方向（図１１および図１６のＤ方向）の衝撃が加えられた場合に、収納空間１０６に配置された製品１０７が破損しやすいという問題点があった。
【００１３】
また、上記特許文献１に開示された組立式段ボール製仕切り容器（梱包部材）では、水平方向の２側面のみにしか翼状部が設けられていないので、梱包箱に仕切りを収納し、筒状の内部に製品を収納した場合、梱包箱の４側面のうち２側面は、仕切りと梱包箱との間に隙間が設けられない。このため、隙間が設けられない２側面からの衝撃に対しては、筒状の内部に収納された製品が破損しやすいという問題点がある。
【００１４】
また、上記特許文献２に開示された梱包用部品（梱包部材）では、梱包用部品の４つの側面からの衝撃による製品の損傷を防止するために、４つの側方に４つの補強板を取り付けているため、部品点数が増加するという問題点がある。
【００１５】
また、上記特許文献３に開示された仕切（梱包部材）では、梱包箱に複数の製品を収納した後、仕切の支持板を製品の間に挿入した状態で、製品の上端に仕切を配置した場合に、水平方向の衝撃を吸収する構造を有していないため、梱包箱の４側面に対する水平方向の衝撃により、内部に収納された製品が破損しやすいという問題点がある。
【００１６】
この発明は、上記のような課題を解決するためになされたものであり、この発明の１つの目的は、部品点数を増加させることなく、収納空間に収納される製品が側方の４方向からの衝撃に対して、破損するのを抑制することが可能な梱包部材を提供することである。
【課題を解決するための手段】
【００１７】
この発明の第１の局面による梱包部材は、複数の第１スリットを有する段ボール製の一対の第１仕切りと、一対の第１仕切りの第１スリットに嵌め込まれる一対の第２スリットを有する段ボール製の複数の第２仕切りと、第１仕切りおよび第２仕切りの上部に配置される天板とを備えた梱包部材において、一対の第１仕切りと、複数の第２仕切りとによって囲まれた複数の収納空間が形成され、第１仕切りは、第２仕切りの仕切り面に対して交差する方向に所定の長さ分、突出するように形成された側端部を有し、第２仕切りは、第１仕切りの仕切り面に対して交差する方向に所定の長さ分、突出するように形成された側端部を有し、第１仕切りには、収納空間毎に、第１スリットが形成される側の端部に、第２仕切りの仕切り面に沿って外側方に折り曲げられた補強片が一体的に設けられ、第１仕切りの補強片は、天板により押さえ込まれることにより、折り曲げられた状態で保持され、第２仕切りの側端部の突出した長さと、第２仕切りの仕切り面に沿う方向に延びた補強片の長さとが実質的に等しいとともに、第１仕切りに設けられるとともに折り曲げられた補強片の上面の高さと、補強片の近傍に位置する第２仕切りの上端部の高さとが実質的に等しい。
【００１８】
この第１の局面による梱包部材では、上記のように、第１スリットが形成される側の端部に、第２仕切りの仕切り面に沿って外側方に折り曲げられた補強片を一体的に設けることによって、複数の第２仕切りを第１仕切りに嵌め込み、梱包箱に収納した状態で、第２仕切りの仕切り面に沿う方向からの衝撃に起因して、第１仕切りと第２仕切りとにより形成された収納空間に収納される製品が水平方向に移動した場合にも、外側方に折り曲げられた第１仕切りの補強片が梱包箱の内側面に当接することにより、第１仕切りの第１スリットが形成される側の端部が外側方に折れ曲がるのを抑制することができる。これにより、収納空間に収納される製品が破損するのを抑制することができる。また、第１仕切りの側端部を、第２仕切りの仕切り面に対して交差する方向に所定の長さ分、突出するように形成することによって、複数の第２仕切りを第１仕切りに嵌め込んで梱包箱に収納する場合に、第１仕切りの側端部と梱包箱との間に隙間を形成することができる。これにより、第２仕切りの仕切り面に対して交差する方向から衝撃が加わった場合にも、第１仕切りの側端部と梱包箱との間に形成された隙間により、衝撃を吸収することができる。これらの結果、側方の４方向からの衝撃に対して、第１仕切りと第２仕切りとによって形成された収納空間に収納された製品が破損するのを抑制することができる。また、補強片を、第１スリットが形成される側の端部に一体的に形成することによって、部品点数を増大させることなく、収納空間に収納される製品が破損するのを抑制することができる。また、第１仕切りの補強片を、天板により押さえ込むことにより、折り曲げられた状態で保持することによって、第１仕切りの補強片が、折り曲げ方向と反対の方向に戻ろうとするのを、天板により規制することができる。また、第１仕切りに設けられるとともに折り曲げられた補強片の上面の高さと、補強片の近傍に位置する第２仕切りの上端部の高さとを実質的に等しく形成することによって、複数の第２仕切りを第１仕切りに嵌め込み、上部に天板を配置する場合に、補強片の上面と、第２仕切りの上端部とが天板に当接するため、第１仕切りの補強片の戻りを規制することができることに加えて、第２仕切りが垂直方向に抜けるのを防止することができる。これにより、第２仕切りの位置がずれるのを抑制すること
ができるので、第１仕切りと第２仕切りとを嵌め込むことによって形成される収納空間の形状を、容易に、保持することができる。また、第２仕切りに、第１仕切りの仕切り面に対して交差する方向に所定の長さ分、突出するように側端部を設けるとともに、第２仕切りの側端部の突出した長さと、第２仕切りの仕切り面に沿う方向に延びた補強片の長さとを実質的に等しく形成することによって、複数の第２仕切りを第１仕切りに嵌め込み、梱包箱に収納する場合に、補強片と第２仕切りの側端部とが梱包箱の内側面に当接することになるので、補強片と、第２仕切りの側端部と、梱包箱とによって、衝撃を吸収可能な隙間を形成することができる。これにより、第１仕切りの仕切り面に対して交差する方向から衝撃が加わった場合にも、上記隙間により、衝撃を吸収することができる。その結果、第１仕切りと第２仕切りとによって形成された収納空間に収納された製品が破損するのをより抑制することができる。また、一対の第１仕切りと複数の第２仕切りとによって囲まれた複数の収納空間毎に補強片を設けることによって、各収納空間内に収納された製品が破損するのを抑制することができる。
【００１９】
この発明の第２の局面による梱包部材は、複数の第１スリットを有する段ボール製の一対の第１仕切りと、一対の第１仕切りの第１スリットに嵌め込まれる一対の第２スリットを有する段ボール製の複数の第２仕切りとを備え、第１仕切りの側端部は、第２仕切りの仕切り面に対して交差する方向に所定の長さ分、突出するように形成され、第１仕切りには、第１スリットが形成される側の端部に、第２仕切りの仕切り面に沿って外側方に折り曲げられた補強片が一体的に設けられている。
【００２０】
この第２の局面による梱包部材では、上記のように、第１スリットが形成される側の端部に、第２仕切りの仕切り面に沿って外側方に折り曲げられた補強片を一体的に設けることによって、複数の第２仕切りを第１仕切りに嵌め込み、梱包箱に収納した状態で、第２仕切りの仕切り面に沿う方向からの衝撃に起因して、第１仕切りと第２仕切りとにより形成された収納空間に収納される製品が水平方向に移動した場合にも、外側方に折り曲げられた第１仕切りの補強片が梱包箱の内側面に当接することにより、第１仕切りの第１スリットが形成される側の端部が外側方に折れ曲がるのを抑制することができる。これにより、収納空間に収納される製品が破損するのを抑制することができる。また、第１仕切りの側端部を、第２仕切りの仕切り面に対して交差する方向に所定の長さ分、突出するように形成することによって、複数の第２仕切りを第１仕切りに嵌め込んで梱包箱に収納する場合に、第１仕切りの側端部と梱包箱との間に隙間を形成することができる。これにより、第２仕切りの仕切り面に対して交差する方向から衝撃が加わった場合にも、第１仕切りの側端部と梱包箱との間に形成された隙間により、衝撃を吸収することができる。これらの結果、側方の４方向からの衝撃に対して、第１仕切りと第２仕切りとによって形成された収納空間に収納された製品が破損するのを抑制することができる。また、補強片を、第１スリットが形成される側の端部に一体的に形成することによって、部品点数を増大させることなく、収納空間に収納される製品が破損するのを抑制することができる。
【００２１】
上記第２の局面による梱包部材において、好ましくは、第１仕切りおよび第２仕切りの上部に配置される天板をさらに備え、第１仕切りの補強片は、天板により押さえ込まれることにより、折り曲げられた状態で保持される。このように構成すれば、第１仕切りの補強片が、折り曲げ方向と反対の方向に戻ろうとするのを、天板により規制することができる。
【００２２】
上記第１仕切りの補強片が天板により押さえ込まれる梱包部材において、好ましくは、第１仕切りに設けられるとともに折り曲げられた補強片の上面の高さと、補強片の近傍に位置する第２仕切りの上端部の高さとが実質的に等しい。このように構成すれば、複数の第２仕切りを第１仕切りに嵌め込み、上部に天板を配置する場合に、補強片の上面と、第２仕切りの上端部とが天板に当接するため、第１仕切りの補強片の戻りを規制することが
できることに加えて、第２仕切りが垂直方向に抜けるのを防止することができる。これにより、第２仕切りの位置がずれるのを抑制することができるので、第１仕切りと第２仕切りとを嵌め込むことによって形成される収納空間の形状を、容易に、保持することができる。
【００２３】
上記第２の局面による梱包部材において、好ましくは、第２仕切りは、第１仕切りの仕切り面に対して交差する方向に所定の長さ分、突出するように形成された側端部を有し、第２仕切りの側端部の突出した長さと、第２仕切りの仕切り面に沿う方向に延びた補強片の長さとが実質的に等しい。このように構成すれば、複数の第２仕切りを第１仕切りに嵌め込み、梱包箱に収納する場合に、補強片と第２仕切りの側端部とが梱包箱の内側面に当接することになるので、補強片と、第２仕切りの側端部と、梱包箱とによって、衝撃を吸収可能な隙間を形成することができる。これにより、第１仕切りの仕切り面に対して交差する方向から衝撃が加わった場合にも、上記隙間により、衝撃を吸収することができる。その結果、第１仕切りと第２仕切りとによって形成された収納空間に収納された製品が破損するのをより抑制することができる。
【００２４】
上記第２の局面による梱包部材において、好ましくは、一対の第１仕切りと複数の第２仕切りとによって囲まれた複数の収納空間が形成され、補強片は、収納空間毎に、第１仕切りの第１スリットが形成される側の端部に設けられている。このように構成すれば、収納空間毎に設けられた補強片により、各収納空間内に収納された製品が破損するのを抑制することができる。
【発明を実施するための最良の形態】
【００２５】
以下、本発明を具体化した実施形態を図面に基づいて説明する。
【００２６】
（第１実施形態）
図１は、本発明の第１実施形態による段ボール製の梱包部材の全体構成を示した分解斜視図である。図２は、本発明の第１実施形態による段ボール製の梱包部材の平面図である。図３および図４は、図１に示した本発明の第１実施形態による段ボール製の梱包部材の仕切りを示した正面図である。図５および図６は、図１に示した段ボール製の梱包部材の詳細構造を説明するための図である。図１〜図７を参照して、本発明の第１実施形態による段ボール製の梱包部材の構造について説明する。
【００２７】
本発明の第１実施形態による段ボール製の梱包部材は、図１に示すように、一対の仕切り１と、一対の仕切り１に組み合わされる７つの仕切り２と、底板３と、天板４と、梱包箱５とを備えている。また、図１および図３に示すように、仕切り１は、７つのスリット１ａと、仕切り２の仕切り面に対して交差する方向（図１および図３のＡ方向）に所定の長さ分、突出するように形成された側端部１ｂとを有している。なお、仕切り１は、本発明の「第１仕切り」の一例であり、スリット１ａは、本発明の「第１スリット」の一例である。
【００２８】
ここで、第１実施形態では、図３に示すように、一対の仕切り１の各々には、８つの補強片１ｃが一体的に設けられている。また、仕切り１には、補強片１ｃを折り曲げることによって一体的に形成するための８つの折り目１ｄが設けられている。また、図１および図４に示すように、仕切り２は、２つのスリット２ａと、仕切り１の仕切り面に対して交差する方向（図１および図４のＢ方向）に所定の長さ分、突出するように形成された側端部２ｂと、上端部２ｃとを有している。また、仕切り２の側端部２ｂの突出した長さＬ１（図４参照）と、仕切り２の仕切り面に沿う方向に延びた仕切り１の補強片１ｃの長さＬ２（図３参照）とが実質的に等しくなるように形成されている。また、補強片１ｃの近傍に配置される仕切り２の上端部２ｃの高さＨ１と、仕切り１に設けられるとともに折り曲
げられた補強片１ｃの上面の高さＨ２とが実質的に等しくなるように形成されている。なお、仕切り２は、本発明の「第２仕切り」の一例であり、スリット２ａは、本発明の「第２スリット」の一例である。
【００２９】
また、図１に示すように、底板３は、上記した梱包箱５の内部の底部に配置される。また、天板４の下面は、仕切り１の補強片１ｃの上面および仕切り２の上端部２ｃにより支持される。また、天板４は、仕切り１に一体的に設けられた補強片１ｃを折り曲げられた状態で保持する機能と、仕切り２が仕切り１に対して垂直上方に抜けるのを防止する機能とを有する。
【００３０】
また、梱包箱５には、図１に示すように、一対の天面フラップ部５ａと、一対の天面フラップ部５ｂとが、それぞれ、互いに対向するように設けられている。梱包箱５の天面フラップ部５ｂは、図５に示すように、梱包箱５の天面フラップ部５ａの上部に重なるように配置される。また、仕切り１の側端部１ｂと梱包箱５の内側面との間に、梱包箱５の外部側からの衝撃を吸収することが可能な隙間が設けられている。また、仕切り２の側端部２ｂと梱包箱５の内側面との間に、梱包箱５の外部側からの衝撃を吸収することが可能な隙間が設けられている。また、図６に示すように、仕切り１の補強片１ｃは、仕切り１のスリット１ａが形成される側の端部が外側方に折れ曲がるのを抑制している。
【００３１】
また、図１および図２に示すように、仕切り１と仕切り２とによって６つの収納空間６が構成されている。この収納空間６には、図２に示すように、収納空間毎に、仕切り１の補強片１ｃが設けられている。また、この収納空間６には、製品７（図７参照）が収納される。また、製品７は、たとえば、テレビ用チューナーである。この製品７には、図７に示すように、上部側に突出した突起部７ａと、両側部側に突出した突起部７ｂとが設けられている。
【００３２】
次に、図１〜図５および図７を参照して、第１実施形態による段ボール製の梱包部材の組立方法および製品の梱包方法について説明する。まず、一対の仕切り１（図３参照）を対向するように配置するとともに、その一対の仕切り１のスリット１ａに、７つの仕切り２（図４参照）のスリット２ａを嵌め込む。これにより、図１および図２に示すように、仕切り１と仕切り２とにより６つの収納空間６を有する仕切り部材が形成される。次に、底板３と、仕切り１および仕切り２からなる仕切り部材とを、梱包箱５の上方側から順次梱包箱５に嵌め込む。さらに、６つの収納空間６に製品７（図７参照）を収納した後、梱包箱５の上方側から天板４を梱包箱５に嵌め込む。このとき、仕切り２の上端部２ｃの高さＨ１（図４参照）と、仕切り１に設けられるとともに折り曲げられた補強片１ｃの上面の高さＨ２（図３参照）とが実質的に等しく形成されているので、補強片１ｃの上面と仕切り２の上端とが天板４に接触するので、仕切り１の補強片１ｃの戻りを規制することが可能になることに加えて、仕切り２が垂直方向に抜けるのを防止することが可能となる。これにより、仕切り２の位置がずれるのを抑制することができるので、仕切り１と仕切り２とを嵌め込むことによって形成される収納空間６の形状を、容易に、保持することが可能になる。そして、梱包箱５の天面フラップ部５ａを内側に折り曲げた後、梱包箱５の天面フラップ部５ｂを内側に折り曲げる。これにより、図５に示すように、製品７の梱包が完了する。
【００３３】
第１実施形態では、上記のように、スリット１ａが形成される側の端部に、仕切り２の仕切り面に沿って外側方に折り曲げられた補強片１ｃを設けることによって、複数の仕切り２を仕切り１に嵌め込み、梱包箱５に収納した状態で、仕切り２の仕切り面に沿う方向（図１および図５のＢ方向）からの衝撃に起因して、仕切り１と仕切り２とにより形成された収納空間６に収納される製品７が水平方向（図６のＢ方向）に移動した場合にも、外側方に折り曲げられた仕切り１の補強片１ｃが梱包箱５の内側面に当接することにより、
仕切り１のスリット１ａが形成される側の端部が外側方に折れ曲がるのを抑制することができる。これにより、収納空間６に収納される製品７が破損するのを抑制することができる。
【００３４】
また、第１実施形態では、仕切り１の側端部１ｂを、仕切り２の仕切り面に対して交差する方向（図１のＡ方向）に所定の長さ分、突出するように形成することによって、複数の仕切り２を仕切り１に嵌め込んで梱包箱５に収納する場合に、仕切り１の側端部１ｂと梱包箱５との間に隙間を形成することができる。これにより、仕切り２の仕切り面に対して交差する方向（図１のＡ方向）から衝撃が加わった場合にも、仕切り１の側端部１ｂと梱包箱５との間に形成された隙間により、衝撃を吸収することができる。これらの結果、側方の４方向（図１のＡ方向およびＢ方向）からの衝撃に対して、仕切り１と仕切り２とによって形成された収納空間６に収納された製品７が破損するのを抑制することができる。
【００３５】
また、第１実施形態では、補強片１ｃを、スリット１ａが形成される側の端部に一体的に形成することによって、部品点数を増大させることなく、収納空間６に収納される製品７が破損するのを抑制することができる。
【００３６】
また、第１実施形態では、仕切り１および仕切り２の上部に天板４を設け、仕切り１の補強片１ｃを、天板４により押さえ込むことにより、折り曲げられた状態で保持することによって、仕切り１の補強片１ｃが、折り曲げ方向と反対の方向に戻ろうとするのを、天板４により規制することができる。
【００３７】
また、第１実施形態では、仕切り２に、仕切り１の仕切り面に対して交差する方向（図１のＢ方向）に所定の長さ分、突出するように側端部２ｂを設けるとともに、仕切り２の側端部２ｂの突出した長さＬ１（図４参照）と、仕切り２の仕切り面に沿う方向（図１のＢ方向）に延びた補強片１ｃの長さＬ２（図３参照）とを実質的に等しく形成することによって、複数の仕切り２を仕切り１に嵌め込み、梱包箱５に収納する場合に、補強片１ｃと仕切り２の側端部２ｂとが梱包箱５の内側面に当接することになるので、補強片１ｃと、仕切り２の側端部２ｂと、梱包箱５とによって、衝撃を吸収可能な隙間を形成することができる。これにより、仕切り１の仕切り面に対して交差する方向（図１のＢ方向）から衝撃が加わった場合にも、上記隙間により、衝撃を吸収することができる。その結果、仕切り１と仕切り２とによって形成された収納空間６に収納された製品７が破損するのをより抑制することができる。
【００３８】
また、第１実施形態では、一対の仕切り１と複数の仕切り２とによって囲まれた複数の収納空間毎に、補強片１ｃを設けることによって、各収納空間６の内部に収納された製品７が破損するのを抑制することができる。
【００３９】
（第２実施形態）
図８は、本発明の第２実施形態による段ボール製の梱包部材の全体構成を示した分解斜視図である。図９は、図８に示した第２実施形態による段ボール製の梱包部材の仕切りを示した展開図である。図１０は、図９に示した第２実施形態による段ボール製の梱包部材の仕切りを示した斜視図である。図８〜図１０を参照して、この第２実施形態では、上記第１実施形態と異なり、段ボール製の仕切りに、底板部を一体的に設けた例について説明する。なお、仕切りおよび底板部の構造以外は、上記第１実施形態と同様であるのでその説明を省略する。
【００４０】
この第２実施形態による段ボール製の梱包部材では、図１０に示すように、２つの側面部５１ａと、底板部５１ｂとが一体的に形成された仕切り５１が設けられている。また、
図９に示すように、仕切り５１の２つの側面部５１ａには、それぞれ、７つのスリット５１ｃが設けられている。なお、仕切り５１は、本発明の「第１仕切り」の一例である。また、スリット５１ｃは、本発明の「第１スリット」の一例である。また、図９に示すように、仕切り５１の２つの側面部５１ａには、それぞれ、スリット５１ｃが形成される側の端部に８つの補強片５１ｄが一体的に設けられている。また、仕切り５１の２つの側面部５１ａには、それぞれ、補強片５１ｄを形成するための８つの折り目５１ｅが設けられている。また、仕切り５１の２つの側面部５１ａには、それぞれ、梱包箱５の内部に挿入する際のガイドとして機能する４つのガイド部５１ｆが設けられている。このガイド部５１ｆは、さらに、底板部５１ｂの位置が外側方にずれることを抑制する機能と、緩衝材としての機能とを有する。また、仕切り５１の側面部５１ａには、それぞれ、ガイド部５１ｆを形成するための４つの切り込み５１ｇが設けられている。また、仕切り５１の２つの側面部５１ａと底面部５１ｂとの境界部分には、折り目５１ｈが設けられている。なお、仕切り５１のスリット５１ｃには、図８に示すように、第１実施形態と同様の構成を有する仕切り２が嵌め込まれる。
【００４１】
第２実施形態では、上記のように、仕切り５１に、２つの側面部５１ａと底板部５１ｂとを一体的に設けることによって、底板部５１ｂを仕切り５１の側面部５１ａとは別個に設ける場合に比べて、部品点数を削減することができる。また、２つの側面部５１ａを一体的に形成することによって、２つの側面部５１ａ（一対の側面部５１ａ）を別個に設ける場合に比べて、部品点数を削減することができる。
【００４２】
次に、図８〜図１０を参照して、第２実施形態による段ボール製の梱包部材の仕切り５１の組立方法について説明する。まず、２つの側面部５１ａを、折り目５１ｈ（図９参照）に沿って垂直上方に折り曲げる。これにより、ガイド部５１ｆが仕切り５１の側面部５１ａから外側方に突出するとともに、側面部５１ａに対してガイド部５１ｆおよび底板部５１ｂを直角方向に延びるように形成する。また、折り目５１ｅを水平に９０°折り曲げることにより、補強片５１ｄが形成される。これにより、図１０に示すような仕切り５１が形成される。このように形成された仕切り５１に仕切り２を嵌め込むことによって、図８に示した第２実施形態の仕切り構造（梱包部材）が形成される。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、本発明の梱包部材に収納される製品の一例としてテレビ用チューナーを示したが、本発明はこれに限らず、テレビ用チューナー以外の他の製品にも適用可能である。
【００４５】
また、上記第１実施形態では、一対の仕切りに対して、７つの仕切りを嵌め込む例を示したが、本発明はこれに限らず、一対の仕切りに対して、７つ以外の２つ以上の仕切りを嵌め込んでもよい。
【００４６】
また、上記第１実施形態では、補強片を天板により押さえ込むことによって、折り曲げられた状態で保持される例を示したが、本発明はこれに限らず、梱包箱のフラップ部により補強片を押さえ込んでもよい。
【図面の簡単な説明】
【００４７】
【図１】本発明の第１実施形態による段ボール製の梱包部材の全体構成を示した分解斜視図である。
【図２】図１に示した第１実施形態による段ボール製の梱包部材を梱包箱に配置した状態の平面図である。
【図３】図１に示した第１実施形態による段ボール製の梱包部材の仕切りを示した正面図である。
【図４】図１に示した第１実施形態による段ボール製の梱包部材の仕切りを示した正面図である。
【図５】図１に示した第１実施形態による段ボール製の梱包部材により製品を収納した状態を説明するための内部透視図である。
【図６】図１に示した第１実施形態による段ボール製の梱包部材の衝撃時における状態を説明するための内部透視図である。
【図７】図１に示した第１実施形態による段ボール製の梱包部材に収納される製品を示した正面図である。
【図８】本発明の第２実施形態による段ボール製の梱包部材の全体構成を示した分解斜視図である。
【図９】図８に示した第２実施形態による段ボール製の梱包部材の仕切りを示した展開図である。
【図１０】図８に示した第２実施形態による段ボール製の梱包部材の仕切りを示した斜視図である。
【図１１】従来の一例による段ボール製の梱包部材の全体構成を示した分解斜視図である。
【図１２】図１１に示した従来の一例による段ボール製の梱包部材を梱包箱に配置した状態の平面図である。
【図１３】図１１に示した従来の一例による段ボール製の梱包部材の仕切りを示した正面図である。
【図１４】図１１に示した従来の一例による段ボール製の梱包部材の仕切りを示した正面図である。
【図１５】図１１に示した従来の一例による段ボール製の梱包部材により製品を収納した状態を説明するための内部透視図である。
【図１６】図１１に示した従来の一例による段ボール製の梱包部材の衝撃時における状態を説明するための内部透視図である。
【符号の説明】
【００４８】
１、５１  仕切り（第１仕切り）
１ａ、５１ｃ  スリット（第１スリット）
１ｂ  側端部
１ｃ、５１ｄ  補強片
２  仕切り（第２仕切り）
２ａ  スリット（第２スリット）
２ｂ  側端部
２ｃ  上端部
４  天板
６  収納空間
【図１】
2006062664.tif 000003
【図２】
2006062664.tif 000004
【図３】
2006062664.tif 000005
【図４】
2006062664.tif 000006
【図５】
2006062664.tif 000007
【図６】
2006062664.tif 000008
【図７】
2006062664.tif 000009
【図８】
2006062664.tif 000010
【図９】
2006062664.tif 000011
【図１０】
2006062664.tif 000012
【図１１】
2006062664.tif 000013
【図１２】
2006062664.tif 000014
【図１３】
2006062664.tif 000015
【図１４】
2006062664.tif 000016
【図１５】
2006062664.tif 000017
【図１６】
2006062664.tif 000018